(57)【特許請求の範囲】
【請求項１】
天板部の一部に上面がその周囲の天板部上面よりも低い凹部を形成し、凹部に着脱自在に装着された時に上面が周囲の天板部上面と略面一となる天板蓋を備え、凹部に、ガスバーナが設けられるバーナ開口と、五徳が挿通可能な五徳挿通口とを形成し、五徳挿通口を介して五徳を上昇及び下降させる昇降手段を設け、凹部から天板部の一側端縁に亘る部分に、上面が凹部の上面と面一となるように凹部と連続する拡張凹部を形成し、天板蓋を、その平面視形状を凹部及び拡張凹部を合わせた形状と同形とし且つ、平面視において凹部及び拡張凹部と重なる位置から拡張凹部が形成されている方へ凹部及び拡張凹部上をスライド可能となるように形成して成ることを特徴とするガスこんろ。
【発明の詳細な説明】
【技術分野】
【０００１】
本発明は、清掃が面倒でないガスこんろに関するものである。
【背景技術】
【０００２】
従来よりガスこんろは一般的に、天板部に形成されたバーナ開口を介してガスバーナを上方に露出させ、ガスバーナの周囲に五徳を配置してこんろ部を構成しているが、こんろ部には凹凸が形成されているため、拭き掃除等の清掃をし難いと共に、こんろ部を使用しない時に天板部を机として利用し難い、という問題があった。
【０００３】
そこで、本体ケーシング内に五徳の昇降手段を設け、天板部に形成した五徳挿通口を介して五徳を天板部の上方に突出させたり下方に没入させたりして、こんろ部を使用しない時に天板部上をフラットにするものが開発されている（例えば特許文献１参照）。
【０００４】
しかしながら特許文献１に示されるものは、複数の五徳挿通口が天板部に形成されて細かな凹凸が多数形成されるため、依然、清掃が面倒であると共に机として利用し難いものであった。
【先行技術文献】
【特許文献】
【０００５】
【特許文献１】特開２００３−２４７７２６号公報
【発明の概要】
【発明が解決しようとする課題】
【０００６】
本発明は上記従来の問題点に鑑みて発明したものであって、その目的とするところは、清掃が面倒でなく、こんろ部を使用しない時に机として利用し易いガスこんろを提供することを課題とするものである。
【課題を解決するための手段】
【０００７】
上記課題を解決するために請求項１に係る発明は、天板部１の一部に上面１１ａがその周囲の天板部１の上面１ａよりも低い凹部１１を形成し、凹部１１に着脱自在に装着された時に上面６ａが周囲の天板部１の上面１ａと略面一となる天板蓋６を備え、凹部１１に、ガスバーナ２が設けられるバーナ開口４と、五徳３が挿通可能な五徳挿通口５とを形成し、五徳挿通口５を介して五徳３を上昇及び下降させる昇降手段を設け、凹部１１から天板部１の一側端縁に亘る部分に、上面１２ａが凹部１１の上面１１ａと面一となるように凹部１１と連続する拡張凹部１２を形成し、天板蓋６を、その平面視形状を凹部１１及び拡張凹部１２を合わせた形状と同形とし且つ、平面視において凹部１１及び拡張凹部１２と重なる位置から拡張凹部１２が形成されている方へ凹部１１及び拡張凹部１２上をスライド可能となるように形成して成ることを特徴とする。
【０００８】
こんろ部を使用しない時には、五徳３を凹部１１の上面１１ａと同じかそれよりも下方に下降させて天板蓋６を凹部１１に装着することで、天板部１をフラットにした時に多数の凹凸が形成されずにすみ、清掃が面倒でないと共に机として利用し易くなるものである。
【００１０】
さらに、天板蓋６をスライドさせて凹部１１を閉塞したり開放したりすることができて、使用者が天板蓋６を着脱する必要がなく作業が簡単になると共に、取り外した天板蓋６を置くスペースが不要となる。
【発明の効果】
【００１５】
こんろ部を使用しない時に天板部をフラットにすることができるため、清掃が面倒でなく、また、こんろ部を使用しない時に机として利用し易いものである。
【図面の簡単な説明】
【００１６】
【図１】一般的なガスこんろを示し、（ａ）は概略分解斜視図であり、（ｂ）はガス燃料の供給経路の説明図である。
【図２】第一の実施形態を示し、（ａ）は天板部及び天板蓋の分解斜視図であり、（ｂ）は天板部の断面図である。
【図３】同上の実施形態を示し、（ａ）は天板部及び天板蓋の斜視図であり、（ｂ）は天板部及び天板蓋の断面図である。
【図４】同上の実施形態を示し、（ａ）はこんろ部を使用する時の断面図であり、（ｂ）はこんろ部を使用しない時の断面図である。
【図５】第二の実施形態においてこんろ部を使用する時の状態を示し、（ａ）は斜視図であり、（ｂ）は断面図である。
【図６】同上の実施形態においてこんろ部を使用しない時の状態を示し、（ａ）は斜視図であり、（ｂ）は断面図である。
【図７】第三の実施形態を示し、（ａ）はこんろ部を使用する時の断面図であり、（ｂ）はこんろ部を使用しない時の断面図である。
【図８】第四の実施形態を示し、（ａ）はこんろ部を使用する時の断面図であり、（ｂ）はこんろ部を使用しない時の断面図である。
【発明を実施するための形態】
【００１７】
本発明について添付図面に示す実施形態に基づいて説明する。図１に一般的なビルトインタイプのガスこんろの概略図を示し、その基本構成について以下に説明する。
【００１８】
ガスこんろは、本体ケーシングＣにこんろ部を備えるもので、図示例では本体ケーシングＣの天板部１の中央に一個配置してあるが、特にこんろ部の個数は限定されない。こんろ部は、外周面に炎口２１を有するガスバーナ２で加熱手段が構成されるもので、こんろ部の使用時にガスバーナ２が天板部１に形成したバーナ開口４を介して上方に露出するようになっている。また、天板部１のバーナ開口４の周囲に五徳３が配置されるもので、この五徳３とガスバーナ２とでこんろ部が構成される。またこんろ部には、五徳３上に載置される鍋等の被加熱物の温度を計測してガスバーナ２の燃焼制御を行うための温度センサーが設けてあってもよい。
【００１９】
ガスこんろは、本体ケーシングＣの前面や天板部１等に、こんろ部を手動で操作するためのこんろ操作部（図示せず）が設けてあり、こんろ操作部からの操作指令は内蔵されている制御部（図示せず）により処理される。
【００２０】
こんろ操作部は、制御部に対してガスバーナ２の点火・消火指令を与えるこんろ点火・消火操作部と、制御部に対してガスバーナ２の燃焼量を調整するための指令を与えるこんろ加熱量調節操作部とを備え、更に自動調理を行うための自動調理操作部を備えていてもよい。
【００２１】
ガスバーナ２には、点火プラグ（図示せず）が設けてあり、更にバーナが燃焼しているか否かを検知する熱電対等からなる点火検知手段（図示せず）が設けてあってもよい。ガスバーナ２の混合管２２の上流端の開口２３には、都市ガス等のガス燃料を供給する燃料供給路２４の下流端のガスノズル２５が隙間をあけて配置され、ガスノズル２５から噴射されたガスが一次空気を採り込みながら混合管２２内に流入して混合ガスとなる。燃料供給路２４には開閉弁２６が設けてあると共に、ガス燃料の供給量の調節を行う流量制御弁２７が設けてある。
【００２２】
制御部は、こんろ点火・消火操作部からの点火指令を受けると、開閉弁２６を開くと共に点火プラグを作動させ、点火検知手段によって燃焼状態が検出されると、点火プラグの作動を停止して、点火処理を終了する。そして、こんろ加熱量調節操作部からの燃焼量指令に基づいて加熱量を調節する。また、こんろ点火・消火操作部からの消火指令を受けると、開閉弁２６を閉じてガスバーナ２の消火を行う。
【００２３】
以上がガスこんろの基本的な構成であり、以下、本発明の第一の実施形態について図２乃至図４に基づいて説明する。
【００２４】
天板部１にはバーナ開口４が形成されるが、図２に示すように、バーナ開口４の周囲は、その上面１１ａが更に周囲の上面１ａよりも一段低い凹部１１となっており、該凹部１１の周囲の上面１ａが天板部１の上面となる。また、凹部１１には天板蓋６が着脱自在に装着される。天板蓋６は、平面視における形状が凹部１１と同じ形状となるように形成するもので、凹部１１に装着された状態で、その上面６ａが周囲の上面１ａと略面一となり、周囲との境界に微細な溝が形成されるものの全体的に略連続する平面となる。凹部１１の平面視における形状は特に限定されないものであり、例えば円形や楕円等のように滑らかな曲線で囲まれるものであれば隅部が形成されないため、汚れが溜まり難く拭き掃除もし易くて好ましいが、正方形や長方形や正多角形状をしていてもよい。
【００２５】
凹部１１には、中央のバーナ開口４を囲むように複数の五徳挿通口５が形成される。五徳挿通口５は、五徳３と略同じ形状をして五徳３が挿通する開口で、第一の実施形態では平面視円形状をした五徳３と略同じ大きさの円形状をしており、周方向に等間隔に五つ形成してあるが、五徳３及び五徳挿通口５の形状や個数は限定されない。五徳挿通口５を五徳３が上下動自在に挿通されると共に、バーナ開口４をガスバーナ２が上下動自在に挿通されるもので、ガスバーナ２及び五徳３の昇降手段が本体ケーシングＣに設けてある。
【００２６】
昇降手段は、様々な形態があり特に限定されないが、一例について概略説明する。図示しないが、昇降手段は、ガスバーナ２及び五徳３を支持すると共に本体ケーシングＣ及び天板部１に対して上下動する上下動部と、上下動部の上下動をガイドするガイド部と、上下動部を上下動させる駆動力を発生する駆動部と、を備えている。
【００２７】
上下動部は、例えば板状又は枠状に形成して、ガスバーナ２の下端部及び五徳３の下端部を下方より支持したり固定したりする。ガイド部は、本体ケーシングＣに固定され、上下動部が上下動する際に所定の軌跡となるように上下動を規制するもので、バーナ開口４及び五徳挿通口５をガスバーナ２及び五徳３のガイドとして兼用してもよい。駆動部は、例えばモータ等の動力源と、動力源からの動力を上下動部に伝達する動力伝達機構とを有するものが好適に挙げられるが、他の動力発生手段でもよく特に限定されないものであり、更に、手動で押釦やレバーや摘まみ等を操作して動力伝達機構に動力を伝達するものであってもよく、自動／手動のいずれでもよいものである。動力伝達機構は、例えば動力源となるモータの出力軸にピニオンを設けると共に、上下動部に前記ピニオンに噛み合うラックを上下方向を長手方向として設け、モータの出力軸の回転をピニオン及びラックを介して上下動部の上下動に変換するものや、例えば動力源となるモータの出力軸に上下動部の下面に当接するカムを設け、モータの出力軸の回転をカムにより上下動部の上下動に変換するものや、更に前記例において減速機構等を介在させるもの等、様々な形態が挙げられるが特に限定されない。
【００２８】
こんろ部を使用する時には、図４（ａ）に示すように、天板蓋６を取り外し、昇降手段によりガスバーナ２及び五徳３を天板部１の上面１ａよりも上昇させる。なお、ガスバーナ２は上面１ａより上方に位置しなくてもよい。この時、天板蓋６を凹部１１に装着したまま昇降手段によりガスバーナ２及び五徳３を上昇させて、天板蓋６をガスバーナ２又は五徳３で持ち上げて凹部１１から外すようにすれば、使用者が天板蓋６を凹部１１から取り外す必要がないため、天板蓋６に摘まみ部等を設ける必要がなく、天板蓋６の上面６ａを完全にフラットにできる。
【００２９】
こんろ部を使用しない時には、図４（ｂ）に示すように、昇降手段によりガスバーナ２及び五徳３をその上面が凹部１１の上面１１ａと略面一かそれよりも下方となるように下降させて、天板蓋６を凹部１１に嵌入して装着する。これにより、天板部１をフラットにする際、天板部１の上面１ａに従来のように多数の五徳挿通口５が形成されたりせずにすみ、拭き掃除がし易く清掃が面倒でないと共に、机として調理以外の作業に利用することができて、使い勝手が良くなる。
【００３０】
なお、第一の実施形態においては、ガスバーナ２及び五徳３の両方が昇降するものとして説明したが、ガスバーナ２は昇降しなくてもよい。ガスバーナ２が昇降しない場合は、バーナ開口４内においてガスバーナ２の上面を凹部１１の上面１１ａと略面一かそれよりも下方の位置に固定したり、あるいはバーナ開口４の内面に炎口２１を形成したりするものが挙げられる。
【００３１】
次に、第二の実施形態について図５及び図６に基づいて説明する。第二の実施形態では、大部分において第一の実施形態と同じであるため、同じ部分については説明を省略し、主に異なる部分について説明する。第二の実施形態では、第一の実施形態のように天板蓋６を凹部１１へ上方より嵌入したりするのではなく、天板蓋６を側方にスライドさせることに特徴を有する。
【００３２】
凹部１１には、バーナ開口４及び五徳挿通口５が形成してあってこの点では第一の実施形態と同様であるが、第二の実施形態では更に、凹部１１から天板部１の一側端縁に亘る部分に、上面が凹部１１の上面１１ａと面一となるように凹部１１と連続する拡張凹部１２を形成してある。
【００３３】
天板蓋６は、その平面視形状を凹部１１及び拡張凹部１２を合わせた形状と同形とし、中間部で分割してその突き合わせ面の下端をヒンジ６１で連結して折り曲げ可能としてある。天板蓋６は、平面視において、凹部１１及び拡張凹部１２と重なる位置から、拡張凹部１２が形成されている方向へスライド可能となるように形成する。第二の実施形態では、凹部１１の平面視形状を略正方形状とすると共に、拡張凹部１２の平面視形状を、幅が凹部１１の一辺と同じ長さの略長方形状とし、天板蓋６の平面視形状を、凹部１１及び拡張凹部１２を合わせた長方形と同形として、天板蓋６をスライド可能としている。
【００３４】
こんろ部を使用する時には、図５に示すように、天板蓋６を拡張凹部１２が形成されている方向へスライドさせて凹部１１を露出させ、昇降手段によりガスバーナ２及び五徳３を天板部１の上面１ａよりも上昇させる。この時、天板蓋６の拡張凹部１２から側方に突出する部分は下方に折れ曲がって本体ケーシングＣに沿うため、邪魔にならずにすむ。
【００３５】
こんろ部を使用しない時には、図６に示すように、天板蓋６を凹部１１及び拡張凹部１２と重なるように設置する。
【００３６】
これにより、天板部１をフラットにする際、天板部１の上面１ａに多数の五徳挿通口５が形成されたりせずにすみ、拭き掃除がし易く清掃が面倒でないと共に、机として調理以外の作業に利用することができて、使い勝手が良くなる。また、使用者が天板蓋６を着脱する必要がなく作業が簡単になると共に、取り外した天板蓋６を置くスペースが不要となる。
【００３７】
また図示しないが、天板蓋６が凹部１１及び拡張凹部１２の上方に外れないように、天板蓋６の側端面と凹部１１及び拡張凹部１２の内側端面に互いに係合するガイドを設けたり、モータ等からなる駆動部を備え天板蓋６を自動でスライドさせるスライド手段を設けたりしてもよい。また第二の実施形態においても第一の実施形態と同様に、ガスバーナ２は昇降しなくてもよく、この場合、バーナ開口４内においてガスバーナ２の上面を凹部１１の上面１１ａと略面一かそれよりも下方の位置に固定したり、あるいはバーナ開口４の内面に炎口２１を形成したりする。
【００３８】
次に、第三の実施形態について図７に基づいて説明する。上記実施形態と同じ部分については説明を省略し、主に異なる部分について説明する。第三の実施形態では、第一及び第二の実施形態のように天板部１に凹部１１を形成して該凹部１１に天板蓋６を装着するのではなく、バーナ開口４にバーナ開口蓋７を自動で設置することに特徴を有する。
【００３９】
第三の実施形態では、天板部１に第一及び第二の実施形態における凹部１１は形成しない。バーナ開口４が天板部１に形成されると共に、第一及び第二の実施形態における五徳挿通口５も形成しない。バーナ開口４の内面に炎口２１が周方向に形成してあり、これによりガスバーナ２が構成してある。
【００４０】
バーナ開口蓋７の平面視形状をバーナ開口４と略同じ形状に形成して、バーナ開口４にバーナ開口蓋７を上下動自在に挿通させるものである。バーナ開口蓋７の上面７ａは平坦面となっており、該上面７ａをバーナ開口４の周囲の天板部１の上面１ａと略同一平面として略連続させることができる。
【００４１】
また、バーナ開口蓋７の昇降手段が本体ケーシングＣに設けてある。昇降手段としては、第一の実施形態で述べたガスバーナ２及び五徳３の昇降手段と同様のものが好適に挙げられるため、説明を省略する。
【００４２】
こんろ部を使用する時には、図７（ａ）に示すように、バーナ開口４の周囲の天板部１上面に着脱自在な五徳３を配置し、鍋等の被加熱物（図示せず）を五徳３に載置する。そして、昇降手段によりバーナ開口蓋７を下降させて、バーナ開口４の内面に形成された炎口２１に火炎を形成させる。五徳３は、環状をした五徳リング３１に被加熱物が載置される複数の五徳爪３２を固定したものが好適に用いられる。
【００４３】
こんろ部を使用しない時には、図７（ｂ）に示すように、五徳３を取り外し、昇降手段によりバーナ開口蓋７を上昇させて、バーナ開口蓋７の上面７ａを周囲の天板部１の上面１ａと略面一とする。これにより、天板部１をフラットにする際、天板部１の上面１ａに多数の五徳挿通口５が形成されたりせずにすみ、拭き掃除がし易く清掃が面倒でないと共に、机として調理以外の作業に利用することができて、使い勝手が良くなる。更に本実施形態では、バーナ開口４から落ちた異物をバーナ開口蓋７で受けて、こんろ部を使用しない時にバーナ開口蓋７を上昇させた際に容易に取り除くことができ、清掃が面倒でないものである。
【００４４】
次に、第四の実施形態について図８に基づいて説明する。第四の実施形態では、大部分において第三の実施形態と同じであるため、同じ部分については説明を省略し、主に異なる部分について説明する。
【００４５】
第四の実施形態では、ガスバーナ２の外殻形状を、球の外周の一部を欠落して平坦面２ａを形成した形状とするものである。この平坦面２ａは正面視円形をしており、バーナ開口４の平面視形状を前記平坦面２ａの正面視形状と同じに形成している。そして、平坦面２ａの反対側を中心とする外周面に炎口２１を形成してある。
【００４６】
このガスバーナ２は、バーナ開口４の内端縁に外周面が沿うように配置されると共に、該ガスバーナ２を回転させる回転手段８が本体ケーシングＣに設けてある。
【００４７】
回転手段８は、様々な形態があり特に限定されないが、一例について説明する。回転手段８は、球状をしたガスバーナ２の中心線に沿ってモータ８１の駆動軸を固定して構成され、モータ８１の駆動軸を回転させることでガスバーナ２は中心位置を変えずに回転する。また更に、手動で摘まみやレバー等を操作してガスバーナ２を回転させるものであってもよく、自動／手動のいずれでもよいものである。
【００４８】
またガスバーナ２には、モータ８１の駆動軸を固定した部分と反対側に混合管の上流端の開口２３を形成し、この開口２３に隙間をあけてガスノズル２５が配置してある。ガスバーナ２が回転しても開口２３とガスノズル２５の位置関係は変わらないため、常にガスバーナ２にガス燃料を供給することが可能である。
【００４９】
ガスバーナ２は、こんろ部を使用する時には、図８（ａ)に示すように、バーナ開口４の周囲の天板部１上面に着脱自在な五徳３を配置し、鍋等の被加熱物（図示せず）を五徳３に載置する。平坦面２ａが下方を向く状態（使用状態という）とし、炎口２１をバーナ開口４を介して上面１ａから上方に露出させる。この時、ガスバーナ２と天板部１との間には殆ど隙間が形成されない。
【００５０】
こんろ部を使用しない時には、図８（ｂ)に示すように、五徳３を取り外し、回転手段８によりガスバーナ２を回転させて、平坦面２ａが周囲の天板部１の上面１ａと略面一となる状態（収納状態という）とする。この時、ガスバーナ２と天板部１との間には殆ど隙間が形成されない。
【００５１】
これにより、天板部１をフラットにする際、天板部１の上面１ａに多数の五徳挿通口５が形成されたりせずにすみ、拭き掃除がし易く清掃が面倒でないと共に、机として調理以外の作業に利用することができて、使い勝手が良くなる。更に本実施形態では、ガスバーナ２とバーナ開口４との間に隙間が殆ど形成されないため、バーナ開口４から異物が落下するのを防止することができて落下した異物を取り除く必要がなく、清掃が面倒でない。
【００５２】
なお、図８に示す例では、平坦面２ａの反対側を中心とする外周面に炎口２１を形成して、平坦面２ａが下方を向く状態を使用状態としているが、必ずしも平坦面２ａの反対側を中心に炎口２１を形成する必要はない。すなわち、平坦面２ａが天板部１の上面１ａよりも下方に位置し且つガスバーナ２と天板部１との間に殆ど隙間が形成されない状態で、ガスバーナ２の上面１ａから上方に突出した部分に炎口２１を形成すればよい。
【符号の説明】
【００５３】
１    天板部
１ａ  上面
１１  凹部
１２  拡張凹部
２    ガスバーナ
２ａ  平坦面
２１  炎口
３    五徳
４    バーナ開口
５    五徳挿通口
６    天板蓋
６ａ  上面
７    バーナ開口蓋
７ａ  平坦面
Ｃ    本体ケーシング
【図１】
0005508086.tif 000002
【図２】
0005508086.tif 000003
【図３】
0005508086.tif 000004
【図４】
0005508086.tif 000005
【図５】
0005508086.tif 000006
【図６】
0005508086.tif 000007
【図７】
0005508086.tif 000008
【図８】
0005508086.tif 000009